【手続補正書】
【提出日】平成17年1月25日(2005.1.25)
【手続補正１】
【補正対象書類名】特許請求の範囲
【補正対象項目名】全文
【補正方法】変更
【補正の内容】
【特許請求の範囲】
【請求項１】
エンティティに関する情報（エンティティ情報）の収集を実行することで、該エンティティが該エンティティ情報（ＥＲＥＩ）によって表される、該収集を実行することと、
一つの固有で永続的なユニバーサル・ネーム識別子（ＵＰＵＮＩ）の生成を実行することと、
収集した該エンティティ情報のデータベース内のデータベース記録への保存を実行することと、
有効性確認情報の生成を実行することと、
ＵＰＵＮＩ登録機関（ＵＰＵＮＩ−ＲＥＧ）が有効性確認情報を生成した場合、該ＥＲＥＩのアクセス・デバイスへの該有効性確認情報の送信を実行することと、
別のデバイスが有効性確認情報を生成した場合、該ＵＰＵＮＩ−ＲＥＧへの該有効性確認情報の送信を実行することと、
該生成した有効性確認情報のデータベース内のデータベース記録への保存を実行することと、
一つのＵＰＵＮＩと関連する情報へのレファレンスの間の解決可能な関連性の登録を実行することで、ＵＰＵＮＩと関係する情報へのレファレンスを関連付け解決するデータベース（ＵＰＵＮＩ−ＲＥＳ）内での登録が実行され、該エンティティ情報が関係する情報であり、該有効性確認情報が関係する情報である、該登録を実行することと、
から成る少なくとも一つのコンピュータを用いて情報へのアクセスを実行する方法。
【請求項２】
該エンティティ情報のバリュー・フィールドが、ＵＰＵＮＩ情報を含むことを特徴とする請求項第１項に記載の方法。
【請求項３】
該ＵＰＵＮＩが該ＥＲＥＩのために生成されることを特徴とする請求項第１項に記載の方法。
【請求項４】
該ＵＰＵＮＩが該関係する情報のために生成されることを特徴とする請求項第１項に記載の方法。
【請求項５】
該収集したエンティティ情報を保存する該データベースが、ＵＰＵＮＩ及びエンティティ情報を保持する（ＥＩ−ＵＰＵＮＩ−ＤＢ）ことを特徴とする請求項第１項に記載の方法。
【請求項６】
該収集したエンティティ情報を保存する該データベースは、メタデータ・データベース（ＭＤＤＢ）であることを特徴とする請求項第１項に記載の方法。
【請求項７】
該エンティティ情報の保存は、多段階登録コミットメントの一段階で該ＵＰＵＮＩの登録を実行する前に起こることを特徴とする請求項第１項に記載の方法。
【請求項８】
該ＵＰＵＮＩ−ＲＥＧが該有効性確認情報を生成した場合、該有効性確認情報を送信後、該ＵＰＵＮＩ−ＲＥＧからの該有効性確認情報の消去を実行すること、
から更に成る請求項第１項に記載の方法。
【請求項９】
該有効性確認情報の保存は、多段階登録コミットメントの一段階で該ＵＰＵＮＩの登録を実行する前に起こることを特徴とする請求項第１項に記載の方法。
【請求項１０】
該ＵＰＵＮＩの該ＵＰＵＮＩ−ＲＥＳへの登録が、該関係する情報の保存を実行した後に起こる多段階登録コミットメントの一段階であることを特徴とする請求項第１項に記載の方法。
【請求項１１】
該登録の帰結として、該エンティティが該ＵＰＵＮＩによって表される（Ｅ−ＵＰＵＮＩ）ことを特徴とする請求項第１項に記載の方法。
【請求項１２】
該登録の帰結として、該ＵＰＵＮＩ、該ＥＲＥＩ、該関係する情報及び関係する情報への該レファレンスが、相互に関係付けられた構成要素（関連する情報）であることを特徴とする請求項第１項に記載の方法。
【請求項１３】
ＵＰＵＮＩを登録して照合情報をレファレンスすることができることを特徴とする請求項１項に記載の方法。
【請求項１４】
強化ＵＰＵＮＩグラマーが該関連する情報のために用いられることを特徴とする請求項１項に記載の方法。
【請求項１５】
該関連する情報がその他の関連する情報へと解決するＵＰＵＮＩであることを特徴とする請求項１項に記載の方法。
【請求項１６】
エンティティが該エンティティのアクセス・デバイス（エンティティ・デバイス）上でアクセスを希望する情報（所望の情報）が、該所望の情報内に組み込まれた固有で永続的なユニバーサル・ネーム識別子（ＵＰＵＮＩ）を有するかどうかの判断を実行することと、
該所望の情報がアクセス不可能かどうかの判断を実行することと、
該エンティティを表すＵＰＵＮＩ（Ｅ−ＵＰＵＮＩ）が存在するかどうかの判断を実行することと、
該エンティティを表すＵＰＵＮＩが無い場合、該Ｅ−ＵＰＵＮＩの生成を実行することと、
該エンティティ・デバイスの、該所望の情報のＵＰＵＮＩ（ＤＩ−ＵＰＵＮＩ）への解決を実行することことと、
エンティティ照合情報の提供を実行することと、
該エンティティが誰であるかということと該所望のコンテンツへのアクセス権利の、提供された該エンティティ照合情報による照合を実行すること（エンティティ照合）と、
該エンティティが誰であるかということと該所望のコンテンツへのアクセス権利が照合された場合、アクセス資格認定資料の提供を実行することと、
から成る少なくとも一つのコンピュータを用いて情報へのアクセスを実行する方法。
【請求項１７】
該所望の情報に該ＵＰＵＮＩが無い場合、該所望の情報へのアクセスを実行することと、
から更に成る請求項１６項に記載の方法。
【請求項１８】
該所望の情報が保護されているために該情報がアクセス不可能であることを特徴とする請求項１６項に記載の方法。
【請求項１９】
該ＤＩ−ＵＰＵＮＩ解決が該エンティティ・デバイスをアクセス追跡システム（ＡＴＳ）へと導くことを特徴とする請求項１６項に記載の方法。
【請求項２０】
該ＤＩ−ＵＰＵＮＩ解決が該エンティティを権利処理機間へと導くことを特徴とする請求項１６項に記載の方法。
【請求項２１】
該エンティティ照合情報がアクセス追跡システム（ＡＴＳ）に提供されることを特徴とする請求項１６項に記載の方法。
【請求項２２】
該エンティティ照合情報が権利処理機間に提供されることを特徴とする請求項１６項に記載の方法。
【請求項２３】
該アクセス資格認定資料が該エンティティ・デバイスに提供されることを特徴とする請求項１６項に記載の方法。
【請求項２４】
権利処理機間が該アクセス資格認定資料を提供することを特徴とする請求項１６項に記載の方法。
【請求項２５】
提供された該アクセス資格認定資料の、初めはアクセス不可能な状態にある該所望の情報への適用を実行して、該所望の情報をアクセス可能にすること、
から更に成る請求項１６項に記載の方法。
【請求項２６】
該所望の情報がアクセス可能な場合、該所望の情報へのアクセスを実行することと、
から更に成る請求項１６項に記載の方法。
【請求項２７】
プロセッサ上で実施されるプログラム・モジュールによるアクセスのためのメモリで、
該メモリに保存されたデータ構造で、該データ構造が、相互に関係付けられたデータ・タイプを有し、
エンティティがアクセスを希望する情報（所望の情報）と関連付けられた固有で永続的なユニバーサル・ネーム識別子（ＵＰＵＮＩ）（ＤＩ−ＵＰＵＮＩ）を保存するためのデータ・タイプと、
エンティティと関連付けられた固有で永続的なＵＰＵＮＩ（Ｅ−ＵＰＵＮＩ）を保存するためのデータ・タイプと、
を含む該データ構造、
から成る該メモリ。
【請求項２８】
エンティティに関する情報（エンティティ情報）の収集を実行する手段で、該エンティティが該エンティティ情報（ＥＲＥＩ）によって表される、該収集を実行する手段と、
一つの固有で永続的なユニバーサル・ネーム識別子（ＵＰＵＮＩ）の生成を実行する手段と、
収集した該エンティティ情報のデータベース内のデータベース記録への保存を実行する手段と、
有効性確認情報の生成を実行する手段と、
ＵＰＵＮＩ登録機関（ＵＰＵＮＩ−ＲＥＧ）が有効性確認情報を生成した場合、該ＥＲＥＩのアクセス・デバイスへの該有効性確認情報の送信を実行する手段と、
別のデバイスが有効性確認情報を生成した場合、該ＵＰＵＮＩ−ＲＥＧへの該有効性確認情報の送信を実行する手段と、
該生成した有効性確認情報のデータベース内のデータベース記録への保存を実行する手段と、
一つのＵＰＵＮＩと関連する情報へのレファレンスの間の解決可能な関連性の登録を実行する手段で、ＵＰＵＮＩと関係する情報へのレファレンスを関連付けて解決するデータベース（ＵＰＵＮＩ−ＲＥＳ）内での登録が実行され、該エンティティ情報が関係する情報であり、該有効性確認情報が関係する情報である、該登録を実行する手段と、
から成る少なくとも一つのコンピュータを用いて情報へのアクセスを実行し、
エンティティ情報のバリュー・フィールドが、エンティティの名前、住所、電話番号、アクセス・デバイス、アクセス・デバイスへのレファレンス、ソーシャル・セキュリティ番号、クレジット情報、医療情報、企業アカウント情報、カスタム・フィールド、カスタム記録を含むこともできることを特徴とするシステム。
【請求項２９】
エンティティが該エンティティのアクセス・デバイス（エンティティ・デバイス）上でアクセスを希望する情報（所望の情報）が、該所望の情報内に組み込まれた固有で永続的なユニバーサル・ネーム識別子（ＵＰＵＮＩ）を有するかどうかの判断を実行する手段と、
該所望の情報がアクセス不可能かどうかの判断を実行する手段と、
該エンティティを表すＵＰＵＮＩ（Ｅ−ＵＰＵＮＩ）が存在するかどうかの判断を実行する手段と、
該エンティティを表すＵＰＵＮＩが無い場合、該Ｅ−ＵＰＵＮＩの生成を実行する手段と、
該エンティティ・デバイスの、該所望の情報のＵＰＵＮＩ（ＤＩ−ＵＰＵＮＩ）への解決を実行する手段と、
エンティティ照合情報の提供を実行する手段と、
該エンティティが誰であるかということと該所望のコンテンツへのアクセス権利の、提供された該エンティティ照合情報による照合を実行する（エンティティ照合）手段と、
該エンティティが誰であるかということと該所望のコンテンツへのアクセス権利が照合された場合、アクセス資格認定資料の提供を実行する手段と、
から成る少なくとも一つのコンピュータを用いて情報へのアクセスを実行し、
該所望の情報に該ＵＰＵＮＩが無い場合、該所望の情報へのアクセスを実行する手段と、から更に成るシステム。
【請求項３０】
プロセッサによって読み出し可能な媒体に保存されたプログラムで、
エンティティに関する情報（エンティティ情報）の収集を実行するモジュールで、該エンティティが該エンティティ情報（ＥＲＥＩ）によって表される、該収集を実行するモジュールと、
一つの固有で永続的なユニバーサル・ネーム識別子（ＵＰＵＮＩ）の生成を実行するモジュールと、
収集した該エンティティ情報のデータベース内のデータベース記録への保存を実行するモジュールと、
有効性確認情報の生成を実行するモジュールと、
ＵＰＵＮＩ登録機関（ＵＰＵＮＩ−ＲＥＧ）が有効性確認情報を生成した場合、該ＥＲＥＩのアクセス・デバイスへの該有効性確認情報の送信を実行するモジュールと、
別のデバイスが有効性確認情報を生成した場合、該ＵＰＵＮＩ−ＲＥＧへの該有効性確認情報の送信を実行するモジュールと、
該生成した有効性確認情報のデータベース内のデータベース記録への保存を実行するモジュールと、
一つのＵＰＵＮＩと関連する情報へのレファレンスの間の解決可能な関連性の登録を実行するモジュールで、ＵＰＵＮＩと関係する情報へのレファレンスを関連付け解決するデータベース（ＵＰＵＮＩ−ＲＥＳ）内での登録が実行され、該エンティティ情報が関係する情報であり、該有効性確認情報が関係する情報である、該登録を実行するモジュールと、
から成るプログラムを有し、
エンティティ情報のバリュー・フィールドが、エンティティの名前、住所、電話番号、アクセス・デバイス、アクセス・デバイスへのレファレンス、ソーシャル・セキュリティ番号、クレジット情報、医療情報、企業アカウント情報、カスタム・フィールド、カスタム記録を含むこともできることを特徴とする媒体。
【請求項３１】
プロセッサによって読み出し可能な媒体に保存されたプログラムで、
エンティティが該エンティティのアクセス・デバイス（エンティティ・デバイス）上でアクセスを希望する情報（所望の情報）が、該所望の情報内に組み込まれた固有で永続的なユニバーサル・ネーム識別子（ＵＰＵＮＩ）を有するかどうかの判断を実行するモジュールと、
該所望の情報がアクセス不可能かどうかの判断を実行するモジュールと、
該エンティティを表すＵＰＵＮＩ（Ｅ−ＵＰＵＮＩ）が存在するかどうかの判断を実行するモジュールと、
該エンティティを表すＵＰＵＮＩが無い場合、該Ｅ−ＵＰＵＮＩの生成を実行するモジュールと、
該エンティティ・デバイスの、該所望の情報のＵＰＵＮＩ（ＤＩ−ＵＰＵＮＩ）への解決を実行するモジュールと、
エンティティ照合情報の提供を実行するモジュールと、
該エンティティが誰であるかということと該所望のコンテンツへのアクセス権利の、提供された該エンティティ照合情報による照合（エンティティ照合）を実行するモジュールと、
該エンティティが誰であるかということと該所望のコンテンツへのアクセス権利が照合された場合、アクセス資格認定資料の提供を実行するモジュールと、
から成る該プログラムを有し、
該所望の情報に該ＵＰＵＮＩがない場合、該所望の情報へのアクセスを実行するモジュールと、
から更に成る媒体。
【請求項３２】
プロセッサと、
該プロセッサに通信するよう接続されたメモリと、
該メモリに保存されたプログラムで、
エンティティに関する情報（エンティティ情報）の収集を実行するモジュールで、該エンティティが該エンティティ情報（ＥＲＥＩ）によって表される、該収集を実行するモジュールと、
一つの固有で永続的なユニバーサル・ネーム識別子（ＵＰＵＮＩ）の生成を実行するモジュールと、
収集した該エンティティ情報のデータベース内のデータベース記録への保存を実行するモジュールと、
有効性確認情報の生成を実行するモジュールと、
ＵＰＵＮＩ登録機関（ＵＰＵＮＩ−ＲＥＧ）が有効性確認情報を生成した場合、該ＥＲＥＩのアクセス・デバイスへの該有効性確認情報の送信を実行するモジュールと、
別のデバイスが有効性確認情報を生成した場合、該ＵＰＵＮＩ−ＲＥＧへの該有効性確認情報の送信を実行するモジュールと、
該生成した有効性確認情報のデータベース内のデータベース記録への保存を実行するモジュールと、
一つのＵＰＵＮＩと関連する情報へのレファレンスの間の解決可能な関連性の登録を実行するモジュールで、ＵＰＵＮＩと関係する情報へのレファレンスを関連付け解決するデータベース（ＵＰＵＮＩ−ＲＥＳ）内での登録が実行され、該エンティティ情報が関係する情報であり、該有効性確認情報が関係する情報である、該登録を実行するモジュールと、
を含む、該プログラムと、
から成り、
エンティティ情報のバリュー・フィールドが、エンティティの名前、住所、電話番号、アクセス・デバイス、アクセス・デバイスへのレファレンス、ソーシャル・セキュリティ番号、クレジット情報、医療情報、企業アカウント情報、カスタム・フィールド、カスタム記録を含むこともできることを特徴とする装置。
【請求項３３】
プロセッサと、
該プロセッサに通信するよう接続されたメモリと、
該メモリに保存されたプログラムで、
エンティティが該エンティティのアクセス・デバイス（エンティティ・デバイス）上でアクセスを希望する情報（所望の情報）が、該所望の情報内に組み込まれた固有で永続的なユニバーサル・ネーム識別子（ＵＰＵＮＩ）を有するかどうかの判断を実行するモジュールと、
該所望の情報がアクセス不可能かどうかの判断を実行するモジュールと、
該エンティティを表すＵＰＵＮＩ（Ｅ−ＵＰＵＮＩ）が存在するかどうかの判断を実行するモジュールと、
該エンティティを表すＵＰＵＮＩがない場合、該Ｅ−ＵＰＵＮＩの生成を実行するモジュールと、
該エンティティ・デバイスの、該所望の情報のＵＰＵＮＩ（ＤＩ−ＵＰＵＮＩ）への解決を実行するモジュールと、
エンティティ照合情報の提供を実行するモジュールと、
該エンティティが誰であるかということと該所望のコンテンツへのアクセス権利の、提供された該エンティティ照合情報による照合を実行する（エンティティ照合）モジュールと、
該エンティティが誰であるかということと該所望のコンテンツへのアクセス権利が照合された場合、アクセス資格認定資料の提供を実行するモジュールと、
を含む、該プログラムと、
から成り、
該所望の情報に該ＵＰＵＮＩがない場合、該所望の情報へのアクセスを実行するモジュールと、
から更に成る装置。
【請求項３４】
エンティティを表す固有で永続的なユニバーサル・ネーム識別子（ＵＰＵＮＩ）（Ｅ−ＵＰＵＮＩ）をメモリ・デバイスに保存することと、
該Ｅ−ＵＰＵＮＩを該メモリ・デバイスから読み出すことと、
該読み出したＥ−ＵＰＵＮＩの、該エンティティを表す関係する情報への解決を実行することと、
から成り、
該メモリ・デバイスが識別デバイスであって、
該識別デバイスがＩＤカードあることを特徴とする情報へのアクセスを実行する方法。
【請求項３５】
エンティティを表す固有で永続的なユニバーサル・ネーム識別子（ＵＰＵＮＩ）（Ｅ−ＵＰＵＮＩ）をメモリ・デバイスに保存することと、
該Ｅ−ＵＰＵＮＩを該メモリ・デバイスから読み出すことと、
該読み出したＥ−ＵＰＵＮＩの、該エンティティを表す関係する情報への解決を実行することと、
から成り、
該エンティティが一人の個人であることを特徴とする、情報へのアクセスを実行する方法。
【請求項３６】
エンティティを表す固有で永続的なユニバーサル・ネーム識別子（ＵＰＵＮＩ）（Ｅ−ＵＰＵＮＩ）をメモリ・デバイスに保存する手段と、
該Ｅ−ＵＰＵＮＩを該メモリ・デバイスから読み出す手段と、
該読み出したＥ−ＵＰＵＮＩの、該エンティティを表す関係する情報への解決を実行する手段と、
から成り、
該メモリ・デバイスが識別デバイスであって、
該識別デバイスがＩＤカードあることを特徴とする、情報へのアクセスを実行するシステム。
【請求項３７】
プロセッサによって読み出し可能な媒体に保存されたプログラムで、
エンティティを表す固有で永続的なユニバーサル・ネーム識別子（ＵＰＵＮＩ）（Ｅ−ＵＰＵＮＩ）をメモリ・デバイスに保存するモジュールと、
該Ｅ−ＵＰＵＮＩを該メモリ・デバイスから読み出すモジュールと、
該読み出したＥ−ＵＰＵＮＩの、該エンティティを表す関係する情報への解決を実行するモジュールと、
から成るプログラムを有し、
該メモリ・デバイスが識別デバイスであって、
該識別デバイスがＩＤカードあることを特徴とする媒体。
【請求項３８】
プロセッサと通信するように配置されたメモリと、
該メモリを囲む基本の形態と、
該メモリに保存されているデータ構造で、
エンティティを表す固有で永続的なユニバーサル・ネーム識別子（ＵＰＵＮＩ）（Ｅ−ＵＰＵＮＩ）を保存するフィールド、
を含む該データ構造と、
から成り、
該エンティティがスマートカード・チップであって、
該メモリが磁気ストリップであることを特徴とする、エンティティを識別する装置。
【請求項３９】
プロセッサと、
該プロセッサに通信するよう接続されたメモリと、
該メモリに保存されたプログラムで、
エンティティを表す固有で永続的なユニバーサル・ネーム識別子（ＵＰＵＮＩ）（Ｅ−ＵＰＵＮＩ）をメモリ・デバイスに保存するモジュールと、
該Ｅ−ＵＰＵＮＩを該メモリ・デバイスから読み出すモジュールと、
該読み出したＥ−ＵＰＵＮＩの、該エンティティを表す関係する情報への解決を実行するモジュールと、
を含む該プログラムと、
から成り、
該メモリ・デバイスが識別デバイスであって、
該識別デバイスがＩＤカードあることを特徴とする、エンティティを識別する装置。